(57)【要約】【課題】コストが安く簡単に設置でき、かつ設置後に季節によって取外す必要がなく、更には雪下ろしに際して少ない電力で効果的に屋根の雪下ろしを行うことが出来る屋根の雪下ろし装置を提供する。【解決手段】片側の端部１０１が閉塞されもう片側の端部１０２が開口され、複数の空気吹き出し孔１１０，１２０が長手方向に所定の間隔で形成されたパイプ本体１００と、パイプ本体の開口した一方の端部からパイプ内に空気を供給するための送風機３００と、パイプ本体を屋根の棟に沿って延材した状態で固定するパイプ支持部４００とを有し、各空気吹き出し孔は、屋根の雪下ろし装置を屋根に設置した状態で、各空気吹き出し孔から吹き出した空気が屋根全体の領域の内、棟５５の近傍領域５１，５２に沿って当たるような向きとなるようにパイプ周面に備わっている。【選択図】図１
2018178422.tif 000002
【特許請求の範囲】
【請求項１】
片側の端部が閉塞されもう片側の端部が開口され、複数の空気吹き出し孔が長手方向に所定の間隔で形成されたパイプ本体と、
前記パイプ本体の開口した一方の端部から前記パイプ内に空気を供給するための送風機と、
前記パイプ本体を屋根の棟に沿って延材した状態で固定するパイプ支持部とを有した屋根の雪下ろし装置であって、
前記各空気吹き出し孔は、前記屋根の雪下ろし装置を屋根に設置した状態で、各空気吹き出し孔から吹き出した空気が屋根全体の領域の内、棟の近傍領域に沿って当たるような向きとなるようにパイプ周面に備わっていることを特徴とする屋根の雪下ろし装置。
【請求項２】
前記各空気吹き出し孔は、前記パイプ本体の周方向第１の角度位置において当該パイプ本体の長手方向に沿って所定の間隔で直線的に並んで配置された第１の複数の空気吹き出し孔と、前記パイプ本体の周方向第２の角度位置において当該パイプ本体の長手方向に沿って所定の間隔で直線的に並んで配置された第２の複数の吹き出し孔からなり、
前記屋根の雪下ろし装置を屋根に設置した状態で、前記第１の複数の空気吹き出し孔から吹き出した空気は、前記屋根の棟から一方に向かって傾斜する一方の屋根の棟の近傍領域に沿って当たるような向きとなるようにパイプ周面に備わると共に、前記第２の複数の空気吹き出し孔から吹き出した空気は、前記屋根の棟から他方に向かって傾斜する他方の屋根の棟の近傍領域に沿って当たるような向きとなるようにパイプ周面に備わっていることを特徴とする請求項１に記載の屋根の雪下ろし装置。
【請求項３】
前記パイプ本体は、その中心軸線まわりに回動可能なように前記パイプ支持部に軸支され、かつ前記屋根の雪下ろし装置は、前記パイプ本体を所定の角度回動可能な回転駆動手段を備え、かつ、
前記各空気吹き出し孔は、前記パイプ本体の周方向所定の角度位置において当該パイプ本体の長手方向に沿って所定の間隔で直線的に並んで配置された１列の複数の空気吹き出し孔を備え、
前記屋根の雪下ろし装置を屋根に設置した状態で、前記１列の複数の空気吹き出し孔を前記屋根の棟から一方に向かって傾斜する一方の屋根の棟の近傍領域に沿って当たるような向きになると共に、前記屋根の棟から他方に向かって傾斜する他方の屋根の棟の近傍領域に沿って当たるような向きとなるように前記回転駆動手段によって前記パイプ本体を回転させることを特徴とする請求項１に記載の屋根の雪下ろし装置。
【請求項４】
前記パイプ本体の閉塞された端部には、当該パイプ本体内に供給される空気が一定以上の圧力になった場合に空気抜き用のベントを設けていることを特徴とする請求項１乃至請求項３の何れか１項に記載の屋根の雪下ろし装置。
【請求項５】
前記屋根の雪下ろし装置には、前記送風機によって前記パイプ本体に供給する空気を加熱するための加熱手段が備わっていることを特徴とする請求項１乃至請求項４の何れか１項に記載の屋根の雪下ろし装置。
【発明の詳細な説明】
【技術分野】
【０００１】
本発明は、屋根に積もった雪の雪下ろしを人手によらず行うための屋根の雪下ろし装置に関する。
【背景技術】
【０００２】
近年の地球環境の変化により、冬場においても異常気象に伴った巨大な低気圧が降雪地帯を通過し、屋根に一晩で多量の雪が積雪するような事態が起きている。
【０００３】
このため、屋根の雪下ろし作業を頻繁に行う必要が生じ、それに伴う雪下ろし作業中の落下事故等が多発している。そこで、このような問題に対して様々な屋根の雪下ろし装置が考えられている（特許文献１乃至特許文献４参照）。
【０００４】
例えば、特許文献１には、エアーマットを屋根上に据え付け、屋根の上方端側に設置したバイブレータ装置と振動板からなる振動手段を用いることで、エアーマット内部の空気を介してエアーマット全体を振動させることにより、積雪を滑り落とす除雪装置が記載されている。
【０００５】
特許文献２には、楔型気密袋を屋根に固定しており、降雪時にはポンプを用いて気密袋を膨張させることで、屋根の傾斜角を急峻にすることで積雪を滑り落とす装置が記載されている。
【０００６】
特許文献３には、融雪に用いる水を貯え、加熱用の電熱部材を巻き付けた貯水容器と、その電熱部材に電流を供給する発電装置を用いて、加熱と貯水を同時に行うことで、加圧した温水を散水し、エネルギーの無駄を減らしつつ、融雪させる装置が記載されている。
【０００７】
特許文献４には、ヒーターパネルを屋根上に設置することで、ヒーターパネルの発熱により、屋根上部の積雪を融解させる装置が記載されている。
【先行技術文献】
【特許文献】
【０００８】
【特許文献１】特開２００７―２３９２１９号公報
【特許文献２】特開２００７―２８５１０６号公報
【特許文献３】特開２０１５―１６１０６８号公報
【特許文献４】特開２００７―２７３２４４号公報
【発明の概要】
【発明が解決しようとする課題】
【０００９】
特許文献１に記載されている内容はエアーマットを振動させることで雪下ろしをするため、屋根全体にエアーマットを敷設する必要があり、一年中設置し続けると夏場の太陽光等により破損して空気漏れなどが生じて肝心の冬場に動作しなくなるか、このような事態を防ぐために定期的なメンテナンスを必要として余分なコストがかかる可能性がある。
【００１０】
また、冬場のみの使用とすると、毎年冬になるごとに屋根の上での敷設作業を行わなければならず極めて面倒であり、かつ危険を伴う上、コストも掛ってしまう。
【００１１】
また、特許文献２に記載されている内容は、ポンプで気密袋を膨張させることにより、急峻な傾斜角を作ることで屋根の雪下ろしを行うが、特許文献１と同様の問題を抱えている。
【００１２】
また、特許文献３に記載されている内容は、水を温水にして屋根等に設置した散水部材から温水を撒くことで雪を溶かす装置であるが、水を温水化するためにはヒーターを加熱するためのかなりの電力を必要とし、それに応じて使用のための設置コストが嵩むだけでなく、毎年冬の期間にこの装置を使用するための電気代も高くなってしまう。
【００１３】
また、特許文献４に記載されている内容は、ヒーターパネルを屋根上に設置することで雪を溶かす方法であるが、この装置で完全に屋根の雪下ろしを行うためには屋根に多数のヒーターパネルを設置する必要があり、設置のコストが非常に嵩んでしまう。
【００１４】
また、この装置は屋根から容易に取り外すことが出来ず屋根に常時設置するようになるので、夏場の太陽光による屋根の温度上昇に起因してヒーターの断線などの故障を招き、冬場の使い始める際に定期的な点検やメンテナンスを必要とするようになる。
【００１５】
本発明の目的は、コストが安く簡単に設置でき、かつ設置後に季節によって取外す必要がなく、更には雪下ろしに際して少ない電力で効果的に屋根の雪下ろしを行うことが出来る屋根の雪下ろし装置を提供することにある。
【課題を解決するための手段】
【００１６】
上述した課題を解決するために、本発明の請求項１に係る屋根の雪下ろし装置は、
片側の端部が閉塞されもう片側の端部が開口され、複数の空気吹き出し孔が長手方向に所定の間隔で形成されたパイプ本体と、
前記パイプ本体の開口した一方の端部から前記パイプ内に空気を供給するための送風機と、
前記パイプ本体を屋根の棟に沿って延材した状態で固定するパイプ支持部とを有した屋根の雪下ろし装置であって、
前記各空気吹き出し孔は、前記屋根の雪下ろし装置を屋根に設置した状態で、各空気吹き出し孔から吹き出した空気が屋根全体の領域の内、棟の近傍領域に沿って当たるような向きとなるようにパイプ周面に備わっていることを特徴としている。
【００１７】
また、本発明の請求項２に係る屋根の雪下ろし装置は、請求項１に記載の屋根の雪下ろし装置において、
前記各空気吹き出し孔は、前記パイプ本体の周方向第１の角度位置において当該パイプ本体の長手方向に沿って所定の間隔で直線的に並んで配置された第１の複数の空気吹き出し孔と、前記パイプ本体の周方向第２の角度位置において当該パイプ本体の長手方向に沿って所定の間隔で直線的に並んで配置された第２の複数の吹き出し孔からなり、
前記屋根の雪下ろし装置を屋根に設置した状態で、前記第１の複数の空気吹き出し孔から吹き出した空気は、前記屋根の棟から一方に向かって傾斜する一方の屋根の棟の近傍領域に沿って当たるような向きとなるようにパイプ周面に備わると共に、前記第２の複数の空気吹き出し孔から吹き出した空気は、前記屋根の棟から他方に向かって傾斜する他方の屋根の棟の近傍領域に沿って当たるような向きとなるようにパイプ周面に備わっていることを特徴としている。
【００１８】
また、本発明の請求項３に係る屋根の雪下ろし装置は、請求項１に記載の屋根の雪下ろし装置において、
前記パイプ本体は、その中心軸線まわりに回動可能なように前記パイプ支持部に軸支され、かつ前記屋根の雪下ろし装置は、前記パイプ本体を所定の角度回動可能な回転駆動手段を備え、かつ
前記各空気吹き出し孔は、前記パイプ本体の周方向所定の角度位置において当該パイプ本体の長手方向に沿って所定の間隔で直線的に並んで配置された１列の複数の空気吹き出し孔を備え、
前記屋根の雪下ろし装置を屋根に設置した状態で、前記１列の複数の空気吹き出し孔を前記屋根の棟から一方に向かって傾斜する一方の屋根の棟の近傍領域に沿って当たるような向きになると共に、前記屋根の棟から他方に向かって傾斜する他方の屋根の棟の近傍領域に沿って当たるような向きとなるように前記回転駆動手段によって前記パイプ本体を回転させることを特徴としている。
【００１９】
また、本発明の請求項４に係る屋根の雪下ろし装置は、請求項１乃至請求項３の何れか１項に記載の屋根の雪下ろし装置において、
前記パイプ本体の閉塞された端部には、当該パイプ本体内に供給される空気が一定以上の圧力になった場合に空気抜き用のベントを設けていることを特徴としている。
【００２０】
また、本発明の請求項５に係る屋根の雪下ろし装置は、請求項１乃至請求項４の何れか１項に記載の屋根の雪下ろし装置において、
前記屋根の雪下ろし装置には、前記送風機によって前記パイプ本体に供給する空気を加熱するための加熱手段が備わっていることを特徴としている
【発明の効果】
【００２１】
本発明に係る屋根の雪下ろし装置によると、コストが安く簡単に設置でき、かつ設置後に季節によって取外す必要がなく、更には雪下ろしに際して少ない電力で効果的に屋根の雪下ろしを行うことが出来る。
【図面の簡単な説明】
【００２２】
【図１】本発明に係る屋根の雪下ろし装置の第１の実施形態を概略的に示す斜視図である。
【図２】本発明に係る屋根の雪下ろし装置の第２の実施形態を概略的に示す斜視図である。
【図３】本発明に係る屋根の雪下ろし装置を用いた実際の屋根の雪下ろしを図３（ａ）乃至図３（ｃ）の順番に示す説明図である。
【図４】図１に示す第１の実施形態に係る屋根の雪下ろし装置の変形例を概略的に示す斜視図である
【図５】本発明に係る屋根の雪下ろし装置を２階建ての家屋に取り付けた状態を概略的に示す側面図である。
【図６】図５において人が実際に２階の屋根に登って雪下ろしをしている状態を概略的に示す側面図である。
【発明を実施するための形態】
【００２３】
以下、本発明の実施形態に係る屋根の雪下ろし装置について、図面に基づいて説明する。最初に第１の実施形態について説明する。図１は、本発明に係る屋根の雪下ろし装置の第１の実施形態を概略的に示す斜視図である。
【００２４】
第１の実施形態に係る屋根の雪下ろし装置（以下、適宜単に「屋根の雪下ろし装置」とする）１０は、パイプ本体１００と、送風機３００と、パイプ支持部４００を有している。パイプ本体１００は、強度と耐久性や耐候性、耐食性に優れた金属又は樹脂等でできており、片側の端部１０１が閉塞されもう片側の端部１０２が開口され、複数の空気吹き出し孔１１１，１１２，１１３，・・・（１１０）,１２１，１２２，１２３,・・・（１２０）が長手方向に所定の間隔で形成されている。また、送風機３００は、パイプ本体１００の開口した他方の端部１０２に備わり、パイプ内に空気を供給する役目を果たしている。送風機３００も、強度と耐久性や耐候性、耐食性に優れたものが使用されている。また、パイプ支持部４０１，４０２，４０３（４００）は、強度と耐久性や耐候性、耐食性に優れた金属でできており、パイプ本体１００を屋根５０の棟５５に沿って延材した状態で固定するためのもので、本実施形態においては屋根の棟の３箇所に設置されるようになっている。
【００２５】
パイプ本体１００に備わった各空気吹き出し孔１１０，１２０は、屋根の雪下ろし装置１０を屋根５０の棟に設置した状態で、各空気吹き出し孔１１０，１２０から吹き出した空気が屋根全体の領域の内、棟の近傍領域５１，５２に沿って当たるような向きとなるようにパイプ周面に備わっている。
【００２６】
具体的には、各空気吹き出し孔１１０，１２０は、パイプ本体の周方向第１の角度位置においてパイプ本体１００の長手方向に沿って所定の間隔で直線的に並んで配置された第１の複数の空気吹き出し孔１１１，１１２，１１３，・・・（１１０）と、パイプ本体１００の周方向第２の角度位置においてパイプ本体の長手方向に沿って所定の間隔で直線的に並んで配置された第２の複数の吹き出し孔１２１，１２２，１２３,・・・（１２０）からなる。
【００２７】
より詳細には、第１の空気吹き出し孔１１０は、屋根の雪下ろし装置１０を実際に屋根５０の棟５５に設置した状態で、第１の複数の空気吹き出し孔１１１，１１２，１１３，・・・（１１０）から吹き出した空気が、屋根の棟から一方に向かって傾斜する屋根の棟の近傍領域に沿って当たるような向きとなるようにパイプ周面に備わっている。
【００２８】
一方、第２の空気吹き出し孔１２０は、第２の複数の空気吹き出し孔１２１，１２２，１２３,・・・（１２０）から吹き出した空気が、屋根５０の棟５５から他方に向かって傾斜する屋根の棟の近傍領域に沿って当たるような向きとなるようにパイプ周面に備わっている。
【００２９】
本実施形態では、パイプ本体１００の閉塞された端部１０１には、パイプ本体内に供給される空気が一定以上の圧力になった場合に空気抜き用のベント（図面では詳細には図示せず）を設けている。
【００３０】
しかしながら、このベントについては必ずしも設ける必要はなく、雪が完全に詰まったりパイプ本体の全ての空気吹き出し孔に万が一雪が完全に詰まったり凍ってしまったりして空気が噴き出さなくなった場合は、ベントを機能させる代わりに送風機の回転数を落としたり送風機を一時的に止めたりしても良い。
【００３１】
送風機３００の作動のオンオフや送風量の調節を行うにあたっては、本実施形態では図１に示す屋外に設けたリモコン３５０を操作する。これによって、雪下ろしの状態を確認しながら送風機３００からパイプ本体１００に供給する空気量の調整を行う。なお、リモコン３５０に関しては、必ずしも本実施形態のように屋外に設ける必要はなく屋内に設けても良い。
【００３２】
続いて、第２の実施形態に係る屋根の雪下ろし装置（以下、適宜単に「屋根の雪下ろし装置」とする）について、図面に基づいて説明する。図２は、本発明に係る屋根の雪下ろし装置の第２の実施形態を概略的に示す斜視図である。
【００３３】
この屋根の雪下ろし装置２０は、第１の実施形態に係る屋根の雪下ろし装置１０と基本的原理は同一なっている。具体的には、この実施形態に係る屋根の雪下ろし装置２０は、パイプ本体２００と、送風機３００と、パイプ支持部４００を有している。パイプ本体２００は、強度と耐久性や耐候性、耐食性に優れた金属でできており、片側の端部２０１が閉塞されもう片側の端部２０２が開口され、複数の空気吹き出し孔２１１，２１２，２１３,・・・（２１０）が長手方向に所定の間隔で形成されている。また、送風機３００は、パイプ本体の開口した他方の端部２０２に備わり、パイプ内に空気を供給する役目を果たしている。送風機３００も、強度と耐久性や耐候性、耐食性に優れたものが使用されている。また、パイプ支持部５００は、強度と耐久性や耐候性、耐食性に優れた金属でできており、パイプ本体２００を屋根５０の棟５５に沿って延材した状態で固定するためのもので、本実施形態においては屋根の棟の５箇所に設置されるようになっている。
【００３４】
パイプ本体２００に備わった各空気吹き出し孔２１１，２１２，２１３，・・・（２１０）は、屋根の雪下ろし装置２０を屋根に設置した状態で、各空気吹き出し孔２１１，２１２，２１３，・・・（２１０）から吹き出した空気が屋根全体の領域の内、棟の近傍領域に沿って当たるような向きとなるようにパイプ周面に備わっている。
【００３５】
続いて、本実施形態に係る屋根の雪下ろし装置２０に関して、上述した第１の実施形態に係る屋根の雪下ろし装置１０と異なる構造について説明する。この屋根の雪下ろし装置２０は、パイプ支持部５００のうちパイプ本体の両端を支えるパイプ支持部５０１，５０２がパイプ本体２００を回動可能にさせる軸受け５１１，５１２をそれぞれ有している。
【００３６】
そして、それ以外のパイプ支持部５０３，５０４，５０５は、上述のパイプ本体の回動を妨げないローラー等の部材（図示せず）を有し、これによってパイプ本体２００がその長手方向に反らないようにしっかりと支持している。
【００３７】
なお、上述したパイプ本体の両端を支えるパイプ支持部だけでパイプ本体をしっかりと支持できるのであれば、中間部のパイプ支持部は必要としない。また、図２では詳細な構造の図示を省略したが、パイプ本体をその中心軸線周りに一定の回転角度で回動させるモーターと減速機構からなる駆動装置が備わっている。
【００３８】
また、この屋根の雪下ろし装置２０は、そのパイプ本体２００の各空気吹き出し孔２１０が、パイプ本体の周方向所定の角度位置においてパイプ本体の長手方向に沿って所定の間隔で直線的に並んで配置された１列の複数の空気吹き出し孔２１１，２１２，２１３，・・・のみからなっている。
【００３９】
そして、屋根の雪下ろし装置２０を屋根５０の棟５５に設置した状態で、１列の複数の空気吹き出し孔２１１，２１２，２１３，・・・（２１０）を屋根５０の棟５５から一方に向かって傾斜する屋根５０の棟５５の近傍領域５１に沿って当たるような向きになると共に、屋根５０の棟５５から他方に向かって傾斜する屋根５０の棟５５の近傍領域５２に沿って当たるような向きとなるように駆動手段によって所定の回転角度でパイプ本体を回動させる。
【００４０】
本実施形態においても、パイプ本体２００の閉塞された端部２０１には、パイプ本体内に供給される空気が一定以上の圧力になった場合に空気抜き用のベント（図面では詳細には図示せず）を設けている。
【００４１】
しかしながら、このベントについては必ずしも設ける必要はなく、雪が完全に詰まったりパイプ本体の全ての空気吹き出し孔に万が一雪が完全に詰まったり凍ってしまったりして空気が噴き出さなくなった場合は、ベントを機能させる代わりに送風機３００の回転数を落としたり送風機３００を一時的に止めたりしても良い。
【００４２】
図４は、本発明の上述の２つの実施形態に係る屋根の雪下ろし装置を用いた実際の屋根の雪下ろしを図４（ａ）乃至図４（ｃ）の順番に示す説明図である。同図に示すように、例えば降雪が止んで天気が良く気温が比較的上昇した日であれば、屋根全体に積もった雪が凍って固まってしまった場合であっても、屋根の棟から近傍の一定の屋根の領域に空気を吹き付けることで、屋根とその上に積もった雪の塊との間の境界となる部分の温度を高めることができる。これによってこの境界となる部分の雪が溶けて水の層をなすようになり、この水の層が屋根の棟から下のほうに向かって広がっていく。水の層となっている部分に積もっている雪は積雪時には粉雪であったがその後は水分を含んで一体化した氷に近い重い塊となっているので、上述した水の層がある一定範囲まで広がると、全層雪崩のような現象となって屋根の軒先に向かってまとめて落下していく。
【００４３】
上述したように、例えば雪が降りやんだ翌日に本発明の送風機を作動させて屋根の峰の部分に積もった雪に空気を吹き付ける。この際、第１の実施形態においては、パイプ本体１００が固定式であるので、パイプ本体１００に配置された２列に配置された各空気吹き出し孔１１０，１２０から屋根５０の棟５５の両側の近傍領域５１，５２に積もった雪に空気が同時に勢いよく吹きかかる。また、第２の実施形態においては、駆動機構によってパイプ本体２００を所定の回転角度で回動させて、パイプ本体２００に配置された１列の各空気吹き出し孔２１０から屋根５０の棟５５から両側の近傍領域５１，５２に積もった雪に空気が交互に勢いよく吹きかかる。
【００４４】
雪下ろし作業を行う日の天気が良くて外気温が比較的暖かめであれば、暖かい空気がそのままパイプ本体の空気吹き出し孔に接する雪を徐々に溶かし、しばらくすると屋根の棟の近傍に積もった雪と屋根との間に水の層ができて水気を含んで重くなったその上の空気の堆積層がやがてはその自重で水の層の上を滑り出し、軒先から地上に落下する。
【００４５】
本発明によると、少ない電力で送風機を作動させることができるので、例えば屋根の軒先から落下する雪の塊に対する注意喚起の表示等を軒先の下の地上に設置しておけば、送風機を作動させたままで仕事や外出で家から離れることも可能である。これによって、送風機を長時間作動させることができるので、家に戻った時に屋根の雪下ろしが完了しているようにできるので、わざわざ仕事を休んだり外出の予定をキャンセルしたりして危険を伴う屋根の上での雪下ろし作業に無駄な時間と体力を費やす必要がなくなる。
【００４６】
このようにして屋根の雪降ろし作業を実際に屋根の上で行うことなく完了することができる。そのため、今まで問題となっていた屋根の上での雪下ろし作業中の軒先からの転落事故を防ぐことができる。
【００４７】
なお、上述した第１の実施形態及び第２の実施形態に係る屋根の雪下ろし装置において、必要に応じて送風機によってパイプ本体に供給する空気を加熱するための加熱手段が備わっていても良い。図３は、図１に示す第１の実施形態に係る屋根の雪下ろし装置の変形例を概略的に示す斜視図である。
【００４８】
図３においては、加熱手段としてのヒーターが備わった状態を示している。このようなヒーターを備えることで、パイプ本体の空気吹き出し孔から温度の高い空気を吹き出すことによって、雪が屋根の棟にも積もった場合であっても、より早くこの部分から雪を溶かすことができる。同図に示すように、屋根の棟から近傍の一定の屋根の領域の温度を上げることで、屋根全体に積もった雪が凍って固まってしまった場合であっても、屋根とその上に積もった雪の塊との間の境界となる部分の温度を高めることができる。
【００４９】
これによって、この境界となる部分の雪が溶けて水の層をなすようになり、この水の層が屋根の棟から下のほうに向かって広がっていく。水の層となっている部分に積もっている雪は積雪時には粉雪であったがその後は水分を含んで一体化した氷に近い重い塊となっているので、上述した水の層がある一定範囲まで広がると、全層雪崩のような現象となって屋根の軒先に向かってまとめて落下していく。
【００５０】
このようにして屋根の雪降ろし作業を実際に屋根の上で行うことなく完了することができる。そのため、今まで問題となっていた屋根の上での雪下ろし作業中の軒先からの転落事故を防ぐことができる。
【００５１】
図５は、本発明に係る屋根の雪下ろし装置を２階建ての家屋に取り付けた状態を概略的に示す側面図である。同図に示すように、特に２階建ての家の屋根の２階部分の棟に本発明に係る屋根の雪下ろし装置を設けることで、地上から非常に高さの高い２階の屋根の雪下ろし作業中の転落事故を防ぐことができ、効果が非常に大きい。
【００５２】
なお、上述の各実施形態においては、送風機のリモコンが屋根の軒先とは異なる家の側壁に備わっているので、雪下ろし時に軒先から落下してくる湿って一体化した雪の塊から身を守りながら、屋根の上の雪下ろし状態を観察しつつ雪下ろし作業を行うことができる。
【００５３】
以上説明した第１の実施形態及び第２の実施形態に係る屋根の雪下ろし装置によると、上述した発明は解決すべき課題の欄で述べた問題点を全て解決することができる。即ち、本発明に係る屋根の雪下ろし装置によると、コストが安く簡単に設置でき、かつ設置後に季節によって取外す必要がなく、更には雪下ろしに際して少ない電力で効果的に屋根の雪下ろしを行うことが出来る。
【００５４】
最後に本発明に係る屋根の雪下ろし装置の上述の別の使用方法について説明する。この屋根の雪下ろし装置によると、屋根に雪は降り積もって降雪がやんだ後、一般的に行う天気の良い日だけの使用に限らず、雪が降り始めたときからも使用可能である。
【００５５】
この別の使用方法においては、雪が降り始めた時本発明に係る屋根の雪下ろし装置を使用する。屋根にかなり雪が積もる地域において降る雪は水気を含まない粉雪であるため、雪が降り始めたときに上述した第１の実施形態に係る屋根の雪下ろし装置を作動させてパイプ本体の空気吹き出し孔から屋根の棟の近くの一定領域に空気を吹き付けるようにする。これによって、この領域に舞い降りてくる粉雪が空気で吹き飛ばされてこの領域に雪はほとんど積もらなくなる。
【００５６】
本発明の送風機は、空気を送風するだけなので、水を温めて温水にするような加熱装置と異なり、低消費電力で長時間動かしても電気代はそれほどかからない。そのため、雪は降っている間中、本発明の送風機を作動させていれば、少なくとも屋根の棟の近くの一定領域においては雪が積もらなくなる。
【００５７】
その結果、屋根の上に登って雪下ろしをする場合であっても、屋根の棟の近くの雪が全く積もっていない領域に立ちながらそれより下方に積もった雪の塊を押し下げて屋根の軒下に雪を落とすことができる。これによって、積もった雪と共に屋根から地上に落下するような危険性をなくすことができる。
【００５８】
一方、本発明の送風機による送風量をかなり多くすれば、パイプ本体の空気吹き出し孔から空気が勢いよく噴き出し、屋根全体に粉雪が舞い降りるのを防いで屋根の上の積雪をなくすか、晴れた日の太陽光で自然に溶けてしまう程度の積雪量とすることも可能である。
【００５９】
図６は、図５において人７０が実際に２階の屋根に登って雪下ろしをしている状態を概略的に示す側面図である。同図においては、例えば豪雪により地域の一部が停電してしまい送風機による送風が行えなくなった場合に人が屋根の上に登って雪下ろしをする状態を示している。この場合、ロープ７１を用意してその一端をパイプ本体の所定箇所にしっかりと結び付けるか、若しくは長手方向にある程度移動可能なようにしっかりと結びつけ、その他端を雪下ろしする人の腰やお腹に巻き付けて腰紐代りにすれば、パイプ本体が腰紐の支持軸の代わりとなって安全に雪下ろし作業を行うことができる。このように本発明は、実際に屋根に登って雪下ろし作業を行う際に於様々な特別な付加的効果も有している。
【００６０】
なお、上述した各実施形態は本発明を実施するためのあくまで一例に過ぎず、本発明の作用効果を奏する範囲内であれば様々な変形例が考えられる。例えば、加熱手段としての電気ヒーターは空気の流れ方向で見て送風機の下流側に連結して設けたが、これとは異なり送風機の上流側に連結して設けても良い。
【００６１】
また、上述の実施形態においては、屋根の棟の両側に空気を吹き出すようにしたが、片側の屋根が日当りに優れてすぐに自然に積もった雪が溶けてしまう一方、反対側の屋根の日当たりが悪く、雪は積もると固まってしまい屋根にへばり付いて屋根の上での雪下ろし作業が難儀になる場合においては、屋根の棟からこの反対側の屋根に向かってのみ空気を吹き出すようにしても良い。
【符号の説明】
【００６２】
１０，２０    屋根の雪下ろし装置
５０    屋根
５１，５２    近傍領域
５５    棟
７０    人
７１    ロープ
１００    パイプ本体
１０１，１０２    端部
１１１，１１２，１１３，・・・（１１０）    空気吹き出し孔
１２１，１２２，１２３,・・・（１２０）    空気吹き出し孔
２００    パイプ本体
２０１，２０２    端部
２１１，２１２，２１３,・・・（２１０）    空気吹き出し孔
３００    送風機
４０１，４０２，４０３（４００）    パイプ支持部
３５０    リモコン
５０１，５０２，５０３，５０４，５０５（５００）    パイプ支持部
５１１，５１２    軸受け
【図１】
2018178422.tif 000003
【図２】
2018178422.tif 000004
【図３】
2018178422.tif 000005
【図４】
2018178422.tif 000006
【図５】
2018178422.tif 000007
【図６】
2018178422.tif 000008
【手続補正書】
【提出日】平成29年7月22日(2017.7.22)
【手続補正１】
【補正対象書類名】特許請求の範囲
【補正対象項目名】全文
【補正方法】変更
【補正の内容】
【特許請求の範囲】
【請求項１】
片側の端部が閉塞されもう片側の端部が開口され、複数の空気吹き出し孔が長手方向に所定の間隔で形成されたパイプ本体と、
前記パイプ本体の開口した一方の端部から前記パイプ内に空気を供給するための送風機と、
前記パイプ本体を屋根の棟に沿って延材した状態で固定するパイプ支持部とを有した屋根の雪下ろし装置であって、
前記各空気吹き出し孔は、前記屋根の雪下ろし装置を屋根に設置した状態で、各空気吹き出し孔から吹き出した空気が屋根全体の領域の内、棟の近傍領域に沿って当たるような向きとなるようにパイプ周面に備わっている屋根の雪下ろし装置であって、
前記パイプ本体は、その中心軸線まわりに回動可能なように前記パイプ支持部に軸支され、かつ前記屋根の雪下ろし装置は、前記パイプ本体を所定の角度回動可能な回転駆動手段を備え、かつ、
前記各空気吹き出し孔は、前記パイプ本体の周方向所定の角度位置において当該パイプ本体の長手方向に沿って所定の間隔で直線的に並んで配置された１列の複数の空気吹き出し孔を備え、
前記屋根の雪下ろし装置を屋根に設置した状態で、前記１列の複数の空気吹き出し孔を前記屋根の棟から一方に向かって傾斜する一方の屋根の棟の近傍領域に沿って当たるような向きになると共に、前記屋根の棟から他方に向かって傾斜する他方の屋根の棟の近傍領域に沿って当たるような向きとなるように前記回転駆動手段によって前記パイプ本体を回転させることを特徴とする屋根の雪下ろし装置。
【請求項２】
前記パイプ本体の閉塞された端部には、当該パイプ本体内に供給される空気が一定以上の圧力になった場合に空気抜き用のベントを設けていることを特徴とする請求項１に記載の屋根の雪下ろし装置。
【請求項３】
前記屋根の雪下ろし装置には、前記送風機によって前記パイプ本体に供給する空気を加熱するための加熱手段が備わっていることを特徴とする請求項１又は請求項２に記載の屋根の雪下ろし装置。
【手続補正２】
【補正対象書類名】明細書
【補正対象項目名】００１６
【補正方法】変更
【補正の内容】
【００１６】
上述した課題を解決するために、本発明の請求項１に係る屋根の雪下ろし装置は、
片側の端部が閉塞されもう片側の端部が開口され、複数の空気吹き出し孔が長手方向に所定の間隔で形成されたパイプ本体と、
前記パイプ本体の開口した一方の端部から前記パイプ内に空気を供給するための送風機と、
前記パイプ本体を屋根の棟に沿って延材した状態で固定するパイプ支持部とを有した屋根の雪下ろし装置であって、
前記各空気吹き出し孔は、前記屋根の雪下ろし装置を屋根に設置した状態で、各空気吹き出し孔から吹き出した空気が屋根全体の領域の内、棟の近傍領域に沿って当たるような向きとなるようにパイプ周面に備わっている屋根の雪下ろし装置であって、
前記パイプ本体は、その中心軸線まわりに回動可能なように前記パイプ支持部に軸支され、かつ前記屋根の雪下ろし装置は、前記パイプ本体を所定の角度回動可能な回転駆動手段を備え、かつ、
前記各空気吹き出し孔は、前記パイプ本体の周方向所定の角度位置において当該パイプ本体の長手方向に沿って所定の間隔で直線的に並んで配置された１列の複数の空気吹き出し孔を備え、
前記屋根の雪下ろし装置を屋根に設置した状態で、前記１列の複数の空気吹き出し孔を前記屋根の棟から一方に向かって傾斜する一方の屋根の棟の近傍領域に沿って当たるような向きになると共に、前記屋根の棟から他方に向かって傾斜する他方の屋根の棟の近傍領域に沿って当たるような向きとなるように前記回転駆動手段によって前記パイプ本体を回転させることを特徴としている。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
また、本発明の請求項２に係る屋根の雪下ろし装置は、請求項１に記載の屋根の雪下ろし装置において、
前記パイプ本体の閉塞された端部には、当該パイプ本体内に供給される空気が一定以上の圧力になった場合に空気抜き用のベントを設けていることを特徴としている。
【手続補正６】
【補正対象書類名】明細書
【補正対象項目名】００２０
【補正方法】変更
【補正の内容】
【００２０】
また、本発明の請求項３に係る屋根の雪下ろし装置は、請求項１又は請求項２に記載の屋根の雪下ろし装置において、
前記屋根の雪下ろし装置には、前記送風機によって前記パイプ本体に供給する空気を加熱するための加熱手段が備わっていることを特徴としている。